(57)【要約】【課題】組み立て作業が容易にでき、かつ、安価な遮水壁を提供するようにする。【解決手段】遮水壁は、それぞれ縦方向に延び、地盤４の上面に沿って一方向Ａに向かうよう連設される複数の矢板１０と、これら複数の矢板１０で形成された矢板壁１１の両面のうち、一方の面１１ａに沿うよう配設されると共にその上端部が矢板壁１１の上端部側に固着される遮水シート１２とを備える。矢板壁１１の一方の面１１ａが一方向Ａにおいて凹部２６と凸部２７とを交互に繰り返す形状とされる。それぞれ縦方向に延び、各下端部が矢板壁１１の下端部に連結され、各上端部が矢板壁１１の上端部側に連結され、各長手方向の中途部が遮水シート１２を各凹部２６内に向けて押圧する複数の縦向き索条体３０を設ける。【選択図】図１
2011026869.tif 000002
【特許請求の範囲】
【請求項１】
それぞれ縦方向に延び、地盤の上面に沿って一方向に向かうよう連設される複数の矢板と、これら複数の矢板で形成された矢板壁の両面のうち、一方の面に沿うよう配設されると共にその上端部が上記矢板壁の上端部側に固着される遮水シートとを備え、上記矢板壁の上記一方の面が上記一方向において凹部と凸部とを交互に繰り返す形状とされた遮水壁において、
それぞれ縦方向に延び、各下端部が上記矢板壁の下端部に連結され、各上端部が上記矢板壁の上端部側に連結され、各長手方向の中途部が上記遮水シートを上記各凹部内に向けて押圧する複数の縦向き索条体を設けたことをことを特徴とする遮水壁。
【請求項２】
上記一方向に向かって延び、上記遮水シートと上記各縦向き索条体との間を通過すると共に長手方向に引張力が与えられた横向き索条体を設けたことを特徴とする請求項１に記載の遮水壁。
【請求項３】
上記矢板壁の上記一方の面側における上記地盤の上面に沿って他の遮水シートを敷設し、上記遮水シートの下端部、上記矢板壁の下端部に対する縦向き索条体の下端部の連結部、および上記他の遮水シートの上記矢板壁側の端部を一体的に覆う遮水材を設けたことを特徴とする請求項１、もしくは２に記載の遮水壁。
【請求項４】
請求項１に記載の遮水壁の組み立て方法であって、
まず、上記地盤の上面にそれぞれ縦方向に延びる矢板を上記一方向に向かうよう連設して矢板壁を形成し、
次に、上記矢板壁の一方の面に沿うよう遮水シートを配設すると共に、この遮水シートの上端部を上記矢板壁の上端部側に固着し、
上記各縦向き索条体の下端部を上記矢板壁の下端部に連結し、これら各縦向き索条体の中途部が上記遮水シートを上記各凹部内に向けて押圧するよう上記各縦向き索条体の上端部を引張し、次に、これら上端部を上記矢板壁の上端部側に連結するようにしたことを特徴とする遮水壁の組み立て方法。
【発明の詳細な説明】
【技術分野】
【０００１】
本発明は、複数の矢板で形成された矢板壁の一方の面に沿うよう遮水シートが配設された遮水壁、およびその組み立て方法に関するものである。
【背景技術】
【０００２】
上記遮水壁には、従来、下記特許文献１に示されるものがある。この公報のものによれば、遮水壁は、特に廃棄物処分場に設置されるものであって、この遮水壁は、それぞれ縦方向に延び、地盤の上面に沿って一方向に向かうよう連設される複数の矢板と、これら複数の矢板で形成された矢板壁の両面のうち、廃棄物の処分域側の一方の面に沿うよう配設されると共にその上端部が上記矢板壁の上端部側に固着される遮水シートと、上下方向に延び、その下端部が上記矢板壁の下端部に取り付けられた固定管に内嵌されて支持され、上部側が上記遮水シートを上記矢板壁の一方の面に向けて押圧する複数の縦向き押圧管とを備えている。
【０００３】
ここで、上記廃棄物処分場の遮水壁の組み立て時や、上記処分域に対する廃棄物の投入量が少ない空状態時には、上記遮水シートは風圧などにより自由にばたつこうとするが、これは好ましくない。しかし、上記構成によれば、この遮水シートのばたつきは、この遮水シートを押圧している上記各押圧管によって防止される。
【０００４】
また、上記処分域に投入された廃棄物の水分が、上記矢板壁の一方の面側から他方の面側に向かって透過しようとすることは、上記遮水シートと、この遮水シートをその背面側から支持して保形する矢板壁とによって防止される。これにより、遮水壁の外部側の環境は良好な状態に維持される。
【先行技術文献】
【特許文献】
【０００５】
【特許文献１】特開２００６−２９７２８８号公報
【発明の概要】
【発明が解決しようとする課題】
【０００６】
ところで、上記従来の技術では、遮水シートのばたつきを防止するために押圧管が設けられ、かつ、この押圧管を支持するための固定管が設けられている。しかし、これら各管は剛性管であって質量が重いものである。
【０００７】
しかも、上記固定管は、この固定管に嵌入される押圧管を所定姿勢に精度よく、かつ、がたつきなく片持ち支持する必要がある。このため、上記固定管には所定の寸法精度が要求され、また、上記矢板壁の下端部に対し上記固定管が十分な強度で取り付けられることが要求される。
【０００８】
このため、上記矢板壁、遮水シート、支持管、および押圧管で構成される遮水壁の組み立て作業は煩雑になりがちである。
【０００９】
更に、上記処分域に多量の廃棄物が投入されると、この廃棄物は上記押圧管の存在にかかわらず、上記遮水シートを上記矢板壁の一方の面に押し付けることとなる。このため、この後は、支持管と押圧管とは不要となるものである。このため、遮水壁が、上記のような剛性管である支持管と押圧管とを備える場合には、この遮水壁は過大設備となって無用に高価になるおそれがある。
【課題を解決するための手段】
【００１０】
本発明は、上記のような事情に注目してなされたもので、本発明の目的は、組み立て作業が容易にでき、かつ、安価な遮水壁を提供することである。
【００１１】
請求項１の発明は、それぞれ縦方向に延び、地盤４の上面に沿って一方向Ａに向かうよう連設される複数の矢板１０と、これら複数の矢板１０で形成された矢板壁１１の両面のうち、一方の面１１ａに沿うよう配設されると共にその上端部が上記矢板壁１１の上端部側に固着される遮水シート１２とを備え、上記矢板壁１１の上記一方の面１１ａが上記一方向Ａにおいて凹部２６と凸部２７とを交互に繰り返す形状とされた遮水壁において、
それぞれ縦方向に延び、各下端部が上記矢板壁１１の下端部に連結され、各上端部が上記矢板壁１１の上端部側に連結され、各長手方向の中途部が上記遮水シート１２を上記各凹部２６内に向けて押圧する複数の縦向き索条体３０を設けたことをことを特徴とする遮水壁である。
【００１２】
請求項２の発明は、上記一方向Ａに向かって延び、上記遮水シート１２と上記各縦向き索条体３０との間を通過すると共に長手方向に引張力が与えられた横向き索条体３３を設けたことを特徴とする請求項１に記載の遮水壁である。
【００１３】
請求項３の発明は、上記矢板壁１１の上記一方の面１１ａ側における上記地盤４の上面に沿って他の遮水シート８を敷設し、上記遮水シート１２の下端部、上記矢板壁１１の下端部に対する縦向き索条体３０の下端部の連結部、および上記他の遮水シート８の上記矢板壁１１側の端部を一体的に覆う遮水材３５を設けたことを特徴とする請求項１、もしくは２に記載の遮水壁である。
【００１４】
請求項４の発明は、請求項１に記載の遮水壁の組み立て方法であって、
まず、上記地盤４の上面にそれぞれ縦方向に延びる矢板１０を上記一方向Ａに向かうよう連設して矢板壁１１を形成し、
次に、上記矢板壁１１の一方の面１０ａに沿うよう遮水シート１２を配設すると共に、この遮水シート１２の上端部を上記矢板壁１１の上端部側に固着し、
上記各縦向き索条体３０の下端部３０ａを上記矢板壁１１の下端部に連結し、これら各縦向き索条体３０の中途部３０ｃが上記遮水シートを上記各凹部２６内に向けて押圧するよう上記各縦向き索条体３０の上端部３０ｂを引張し、次に、これら上端部を上記矢板壁１１の上端部側に連結するようにしたことを特徴とする遮水壁の組み立て方法である。
【００１５】
なお、この項において、上記各用語に付記した符号や図面番号は、本発明の技術的範囲を後述の「実施例」の項や図面の内容に限定解釈するものではない。
【発明の効果】
【００１６】
本発明による効果は、次の如くである。
【００１７】
請求項１の発明は、それぞれ縦方向に延び、地盤の上面に沿って一方向に向かうよう連設される複数の矢板と、これら複数の矢板で形成された矢板壁の両面のうち、一方の面に沿うよう配設されると共にその上端部が上記矢板壁の上端部側に固着される遮水シートとを備え、上記矢板壁の上記一方の面が上記一方向において凹部と凸部とを交互に繰り返す形状とされた遮水壁において、
それぞれ縦方向に延び、各下端部が上記矢板壁の下端部に連結され、各上端部が上記矢板壁の上端部側に連結され、各長手方向の中途部が上記遮水シートを上記各凹部内に向けて押圧する複数の縦向き索条体を設けている。
【００１８】
このため、上記遮水壁の組み立て時などに、上記遮水シートが風圧などにより自由にばたつこうとしても、このばたつきは、この遮水シートを押圧している上記各縦向き索条体によって防止される。
【００１９】
また、上記処分域に投入された廃棄物の水分が、上記矢板壁の一方の面側から他方の面側に向かって透過しようとすることは、上記遮水シートと、この遮水シートをその背面側から支持して保形する矢板壁とによって防止される。これにより、遮水壁の外部側の環境は良好な状態に維持される。
【００２０】
そして、上記縦向き索条体は、可撓性を有するものであると共に、従来の技術の剛性管に比べて一般に軽量である。このため、上記縦向き索条体の取り扱いは極めて容易にできる。また、従来の技術の剛性管に比べ、上記縦向き索条体については寸法精度や強度について大きく要求されることはない。
【００２１】
しかも、上記したように縦向き索条体の中途部は上記遮水シートを上記各凹部内に向けて押圧することにより、この遮水シートの外面に縦向きの溝を生じさせるため、上記縦向き索条体の中途部は上記縦向きの溝に嵌入させられる結果となる。よって、上記遮水シートに対する縦向き索条体の上記一方向での位置が安定して定められることから、上記遮水壁の組み立て作業は、前記従来の技術に比べて、極めて容易にできる。
【００２２】
更に、上記したように遮水壁の組み立て作業は容易にでき、しかも、上記縦向き索条体は、従来の技術の各剛性管に比べて安価なものであるため、上記遮水壁は安価に提供できる。
【００２３】
請求項２の発明は、上記一方向に向かって延び、上記遮水シートと上記各縦向き索条体との間を通過すると共に長手方向に引張力が与えられた横向き索条体を設けている。
【００２４】
ここで、上記したように縦向き索条体に押圧された遮水シートの部分の外面には縦向きの溝が生じるが、その一方、上記一方向で上記遮水シートの上記両部分の間のこの遮水シートの他の部分の外面には突条体が生じる。そして、上記横向き索条体は上記遮水シートの他の部分の外面に生じた突条体を上記矢板壁の凸部側に向けて押圧する。
【００２５】
このため、上記縦向き索条体に加えて横向き索条体により、上記遮水シートはより均一に全体的に矢板壁側に押圧される。よって、上記した遮水シートのばたつきは、更に確実に防止される。
【００２６】
請求項３の発明は、上記矢板壁の上記一方の面側における上記地盤の上面に沿って他の遮水シートを敷設し、上記遮水シートの下端部、上記矢板壁の下端部に対する縦向き索条体の下端部の連結部、および上記他の遮水シートの上記矢板壁側の端部を一体的に覆う遮水材を設けている。
【００２７】
このため、上記した遮水シートの下端部、上記矢板壁に対する縦向き索条体の連結部、および他の遮水シートの端部による集合部分は構成が入り組んだ複雑な部分であるが、上記した遮水材における一体的な覆いにより、上記集合部分の遮水はより確実に達成される。
【００２８】
請求項４の発明は、請求項１に記載の遮水壁の組み立て方法であって、これによれば、遮水壁の組み立て作業が無駄なく合理的にできる。
【図面の簡単な説明】
【００２９】
【図１】遮水壁の側面断面図である。
【図２】図１のII−II線矢視断面図である。
【図３】遮水壁の斜視部分断面図である。
【発明を実施するための形態】
【００３０】
本発明の遮水壁、およびその組み立て方法に関し、本発明の目的は、組み立て作業が容易にでき、かつ、安価な矢板壁を提供するようにする、という目的を実現するため、本発明を実施するための形態は、次の如くである。
【００３１】
即ち、遮水壁は、それぞれ縦方向に延び、地盤の上面に沿って一方向に向かうよう連設される複数の矢板と、これら複数の矢板で形成された矢板壁の両面のうち、一方の面に沿うよう配設されると共にその上端部が上記矢板壁の上端部側に固着される遮水シートとを備える。上記矢板壁の上記一方の面が上記一方向において凹部と凸部とを交互に繰り返す形状とされている。それぞれ縦方向に延び、各下端部が上記矢板壁の下端部に連結され、各上端部が上記矢板壁の上端部側に連結され、各長手方向の中途部が上記遮水シートを上記各凹部内に向けて押圧する複数の縦向き索条体が設けられる。
【実施例】
【００３２】
本発明をより詳細に説明するために、その実施例を添付の図に従って説明する。
【００３３】
図において、符号１は、廃棄物２を埋め立てて、この廃棄物２を最終処分するための廃棄物処分場である。
【００３４】
上記廃棄物処分場１は、上記廃棄物２を投入させて埋め立て処分するための処分域３を有している。この処分域３は地盤４の上方に形成され、かつ、この地盤４に隣接して、この地盤４よりも標高の高い他の地盤５の側壁５ａの外側方に形成されている。この場合、これら各地盤４，５は地山であってもよく、盛土であってもよい。
【００３５】
上記地盤４の上面に敷設され、上記処分域３の下面を形成する遮水シート８が設けられている。また、上記他の地盤５の側壁５ａに沿って延び上記処分域３の側面を形成する遮水壁９が設けられている。
【００３６】
上記遮水壁９は、上記他の地盤５の側壁５ａに沿うようそれぞれ縦方向に延び、地盤４の上面に沿って一方向Ａに向かうよう連続的に設置される複数の鋼板製矢板１０を備え、これら複数の矢板１０が互いに連結されることにより、矢板壁１１が形成されている。
【００３７】
上記矢板壁１１の両面１１ａ，１１ｂのうち、一方の面１１ａは上記処分域３に対面し、他方の面１１ｂは上記他の地盤５の側壁５ａに対面している。上記矢板壁１１の一方の面１１ａに沿うよう配設されて、この一方の面１１ａを上記処分域３側から全体的に覆う遮水シート１２が設けられている。この遮水シート１２は遮水の主体となる遮水シート本体１３と、この遮水シート本体１３の下端部を除き、この遮水シート本体１３のほぼ全体を挟むように設けられ、この遮水シート本体１３が外力で傷付かないよう保護する一対の保護マットシート１４，１４とを備えている。上記遮水シート１２の上端部を上記遮水壁９の上端部側に固着させる上固着具１５と、上記遮水シート１２の遮水シート本体１３の下端部を上記遮水壁９の下端部に固着させる下固着具１６とが設けられている。なお、上記遮水シート１２の上端部は、矢板壁１１の上端部側である他の地盤５の上面に上記上固着具１５により固着させてもよい。
【００３８】
上記遮水シート８と、遮水シート１２の遮水シート本体１３とは、それぞれ熱可塑性の高密度ポリエチレン（ＨＤＰＥ）、もしくは塩化ビニール（ＰＶＣ）、その他、ＥＰＤＭ、ＴＰＯ、ＴＰＵ、ＦＰＡ、アスファルトシートなどの樹脂製で、例えば、定尺寸法の幅寸法は１５ｍ、高さ寸法は７ｍ、厚さは１．５ｍｍ以上であり、高い遮水性能を有している。また、上記各保護マットシート１４は、ポリエステル樹脂の不織布製とされ、厚さがほぼ１０ｍｍとされている。上記遮水シート１２は、上記他の地盤５の側壁５ａに沿って上記一方向Ａに連続的に長く延びる形状となるよう、上記他の地盤５の上面で上記定尺寸法の遮水シート本体１３が順次熱溶着されて、上記一方向Ａの一方側に進みながら、順次、上記矢板壁１１の一方の面１１ａに沿うよう配設される。
【００３９】
上記上固着具１５は、上記遮水シート１２の上端部の外面（処分域３側の面）に面接合するブラケット板１９と、上記矢板壁１１の上端部とブラケット板１９との間に上記遮水シート１２の上端部を挟み付ける締結具２０とを備えている。また、上記下固着具１６は、上記遮水シート１２の遮水シート本体１３の下端部の外面（処分域３側の面）に面接合するブラケット板２２と、上記矢板壁１１の下端部とブラケット板２２との間に上記遮水シート１２の遮水シート本体１３の下端部を挟み付ける締結具２３と、上記ブラケット板２２に突設された連結片２４とを備えている。
【００４０】
上記矢板壁１１の一方の面１１ａは、上記一方向Ａにおいて凹部２６と凸部２７とを交互に繰り返す形状とされている。上記下固着具１６は、上記凹部２６内に配置されている。
【００４１】
それぞれ縦方向に延び、各下端部３０ａが上記矢板壁１１の下端部に連結され、上端部３０ｂが上記矢板壁１１の上端部側に連結される複数の縦向き索条体３０が設けられる。具体的には、上記各縦向き索条体３０はロープであって、その下端部３０ａは上記下固着具１６の連結片２４に連結され、上端部３０ｂは上記矢板壁１１の上端部を越えて、上記他の地盤５の上面のアンカー３１に連結されている。
【００４２】
そして、上記各縦向き索条体３０の中途部３０ｃが、上記遮水シート１２を上記各凹部２６内に向けて押圧している。ここで、上記凹部２６と対面する上記遮水シート１２の部分１２ａは上記縦向き索条体３０の中途部３０ｃに押動されて、上記凹部２６に向かうよう変形する。このため、上記遮水シート１２の部分１２ａの外面（処分域３側の面）には縦向きの溝が生じ、この溝に上記縦向き索条体３０の中途部３０ｃが嵌入される結果となる。一方、上記一方向Ａで、上記遮水シート１２の各部分１２ａの間に位置する遮水シート１２の他の部分１２ｂの外面（処分域３側の面）には縦向きの突条体が生じる。
【００４３】
上記一方向Ａに向かって延び、上記遮水シート１２と上記各縦向き索条体３０との間を通過すると共に長手方向に引張力が与えられた上下複数（２本）の横向き索条体３３が設けられている。これら各横向き索条体３３は、上記縦向き索条体３０と同様のロープであって、上記のように引張力が与えられた状態で、その長手方向の各端部や中途部が結び付けや、連結金具のかしめなどにより、上記遮水シート１２の外面や上記各縦向き索条体３０に連結されている。これら各縦向き索条体３０は、上記遮水シート１２の他の部分１２ｂの外面に生じた突条体を上記矢板壁１１の凸部２７側に向けて押圧する。
【００４４】
上記遮水シート１２の下端部、上記矢板壁１１の下端部に対する縦向き索条体３０の下端部の連結部である下固着具１６、および前記した他の遮水シート８の上記矢板壁１１側の端部を一体的に覆う遮水材３５が設けられている。この遮水材３５は、熱可塑性、接着性の遮水材であって、アスファルトマスチックといわれるものである。この遮水材３５は、大気中、水中を問わず、熱溶融状態にし、型枠を用いることにより上記したように設けられる。なお、上記遮水材３５は遮水性のあるコンクリート製であってもよい。
【００４５】
次に、上記遮水壁９の組み立て方法につき説明する。
【００４６】
まず、上記地盤４の上面にそれぞれ縦方向に延びる矢板１０を上記一方向Ａに向かうよう連設して矢板壁１１を形成する。
【００４７】
次に、上記矢板壁１１の一方の面１０ａに沿うよう遮水シート１２を配設すると共に、この遮水シート１２の上端部を上記矢板壁１１の上端部側に上固着具１５により固着する。また、上記遮水シート１２の下端部を上記矢板壁１１の下端部に下固着具１６により固着する。
【００４８】
次に、上記各縦向き索条体３０の下端部３０ａを上記矢板壁１１の下端部における下固着具１６の連結片２４に連結し、これら各縦向き索条体３０の中途部３０ｃが上記遮水シートを上記各凹部２６内に向けて押圧するよう上記各縦向き索条体３０の上端部３０ｂをウィンチなどで引張し、次に、これら上端部を上記矢板壁１１の上端部側にアンカー３１により連結する。すると、上記遮水壁９の組み立て方法に係る作業が終了する。
【００４９】
上記構成によれば、それぞれ縦方向に延び、各下端部が上記矢板壁１１の下端部に連結され、各上端部が上記矢板壁１１の上端部側に連結され、各長手方向の中途部が上記遮水シート１２を上記各凹部２６内に向けて押圧する複数の縦向き索条体３０を設けている。
【００５０】
このため、上記廃棄物処分場１の遮水壁９の組み立て時や、上記処分域３に対する廃棄物２の投入が少ない空状態時に、上記遮水シート１２が風圧などにより自由にばたつこうとしても、このばたつきは、この遮水シート１２を押圧している上記各縦向き索条体３０によって防止される。
【００５１】
また、上記処分域３に投入された廃棄物２の水分が、上記矢板壁１１の一方の面１１ａ側から他方の面１１ｂ側に向かって透過しようとすることは、上記遮水シート１２と、この遮水シート１２をその背面側から支持して保形する矢板壁１１とによって防止される。これにより、遮水壁９の外部側の環境は良好な状態に維持される。
【００５２】
そして、上記縦向き索条体３０は、可撓性を有するものであると共に、従来の技術の剛性管に比べて一般に軽量である。このため、上記縦向き索条体３０の取り扱いは極めて容易にできる。また、従来の技術の剛性管に比べ、上記縦向き索条体３０については寸法精度や強度について大きく要求されることはない。
【００５３】
しかも、上記したように縦向き索条体３０の中途部３０ｃは上記遮水シート１２を上記各凹部２６内に向けて押圧することにより、この遮水シート１２の外面に縦向きの溝を生じさせるため、上記縦向き索条体３０の中途部３０ｃは上記縦向きの溝に嵌入させられる結果となる。よって、上記遮水シート１２に対する縦向き索条体３０の上記一方向Ａでの位置が安定して定められることから、上記遮水壁９の組み立て作業は、前記従来の技術に比べて、極めて容易にできる。
【００５４】
更に、上記したように遮水壁９の組み立て作業は容易にでき、しかも、上記縦向き索条体３０は、従来の技術の各剛性管に比べて安価なものであるため、上記遮水壁９は安価に提供できる。
【００５５】
また、前記したように、一方向Ａに向かって延び、遮水シート１２と各縦向き索条体３０との間を通過すると共に長手方向に引張力が与えられた横向き索条体３３を設けている。
【００５６】
ここで、上記したように縦向き索条体３０に押圧された遮水シート１２の部分１２ａの外面には縦向きの溝が生じるが、その一方、上記一方向Ａで上記遮水シート１２の上記両部分１２ａの間のこの遮水シート１２の他の部分１２ｂの外面には突条体が生じる。そして、上記横向き索条体３３は上記遮水シート１２の他の部分１２ｂの外面に生じた突条体を上記矢板壁１１の凸部２７側に向けて押圧する。
【００５７】
このため、上記縦向き索条体３０に加えて横向き索条体３３により、上記遮水シート１２はより均一に全体的に矢板壁１１側に押圧される。よって、上記した遮水シート１２のばたつきは、更に確実に防止される。
【００５８】
また、前記したように、矢板壁１１の一方の面１１ａ側における地盤４の上面に沿って他の遮水シート８を敷設し、遮水シート１２の下端部、上記矢板壁１１の下端部に対する縦向き索条体３０の下端部の連結部、および上記他の遮水シート８の上記矢板壁１１側の端部を一体的に覆う遮水材３５を設けている。
【００５９】
このため、上記した遮水シート１２の下端部、上記矢板壁１１に対する縦向き索条体３０の連結部、および他の遮水シート８の端部による集合部分は構成が入り組んだ複雑な部分であるが、上記した遮水材３５における一体的な覆いにより、上記集合部分の遮水はより確実に達成される。
【００６０】
なお、以上は図示の例によるが、上記矢板１０は、鋼管、コンクリート、もしくは樹脂製であってもよい。また、各索条体３０，３３は、ワイヤ、ベルト、もしくはチェーンであってもよい。
【符号の説明】
【００６１】
１    廃棄物処分場
２    廃棄物
３    処分域
４    地盤
５    他の地盤
５ａ  側壁
８    遮水シート
９    遮水壁
１０  矢板
１１  矢板壁
１１ａ  一方の面
１１ｂ  他方の面
１２  遮水シート
１２ａ  部分
１２ｂ  他の部分
１３  遮水シート本体
１４  保護マットシート
１５  上固着具
１６  下固着具
２６  凹部
２７  凸部
３０  縦向き索条体
３０ａ  下端部
３０ｂ  上端部
３０ｃ  中途部
３３  横向き索条体
３５  遮水材
Ａ    一方向
【図１】
2011026869.tif 000003
【図２】
2011026869.tif 000004
【図３】
2011026869.tif 000005